(57)【特許請求の範囲】
【請求項１】
マネキン（Ｍ）の肩部（Ｓ）に半球殻状の関節雄部材（１）を介して上腕部材（２）を揺動自在に連結するマネキンの肩構造であって、
上記関節雄部材（１）の内周凹曲面部（12）に摺動可能な第１摺動部材（４）及び第２摺動部材（５）を、上記関節雄部材（１）に形成されたスリット（10）を介して、上記上腕部材（２）に、取着し、
上記第１摺動部材（４）及び上記第２摺動部材（５）が、上記上腕部材（２）と共働きして上記関節雄部材（１）を内外から挟着するように上記上腕部材（２）に取着し、
しかも、上記挟着する際の挟着力を調整自在に構成され、
さらに、上記関節雄部材（１）の上記スリット（10）近傍の肉厚を、下方側肉厚（ｔ2 ）よりも上方側肉厚（ｔ1 ）が大きくなるように漸増したことを特徴とするマネキンの肩構造。
【請求項２】
マネキン（Ｍ）の肩部（Ｓ）に半球殻状の関節雄部材（１）を介して上腕部材（２）を揺動自在に連結するマネキンの肩構造であって、
上記関節雄部材（１）の内周凹曲面部（12）に摺動可能な第１摺動部材（４）を、上記関節雄部材（１）に形成されたスリット（10）を介して、上記上腕部材（２）の基端部（２ａ）に設けられた雌ネジ部材（20）に、雄ネジ部材（40）を螺着させることで、取着し、
上記内周凹曲面部（12）に摺動可能な第２摺動部材（５）を、上記スリット（10）を介して、先端（３ｂ）が上記上腕部材（２）の内部に取着される連結部材（３）の基端側のネジ部（３ａ）に、ナット部材（50）を螺着させることで、取着し、
上記第１摺動部材（４）及び上記第２摺動部材（５）が、上記上腕部材（２）と共働きして上記関節雄部材（１）を内外から挟着するように上記上腕部材（２）に取着し、
しかも、上記挟着する際の挟着力を調整自在に構成され、
さらに、上記関節雄部材（１）の上記スリット（10）近傍の肉厚を、下方側肉厚（ｔ2 ）よりも上方側肉厚（ｔ1 ）が大きくなるように漸増したことを特徴とするマネキンの肩構造。
【請求項３】
上記関節雄部材（１）に、上記スリット（10）の両側に沿って内部側に突出する一対の突出壁（14）（14）を設け、上記第１摺動部材（４）及び上記第２摺動部材（５）が、上記突出壁（14）（14）にガイドされて摺動するように上記上腕部材（２）に取着されている請求項１又は２記載のマネキンの肩構造。
【発明の詳細な説明】
【技術分野】
【０００１】
本発明は、マネキンの肩構造に関する。
【背景技術】
【０００２】
従来、マネキンの肩部は、特許文献１記載のように胴体の肩側に形成した差込孔に、上腕部材の差込突出部を嵌め込むものがあった。
また、上腕部材を揺動可能にするために、特許文献２記載のように、マネキンの肩部に角度調整金具や連結軸等の複雑な機構部品を取り付けたものがあった。
【特許文献１】特開２００３−２４１９７号公報
【特許文献２】特許第３６０２８２９号公報
【発明の開示】
【発明が解決しようとする課題】
【０００３】
しかし、肩部や上腕部が固定されるようなマネキンの肩構造では、マネキンのポーズが限定されてしまうという問題があった。
また、複雑な機構部品を必要とするマネキンの肩構造では、組立や可動部の調整が困難であり、また、特殊な機構部品を必要とするため、製造コストが高いという問題があった。
【０００４】
そこで、本発明は、組立や調整が容易で、マネキンの上腕を自由に揺動可能かつ保持可能なマネキンの肩構造の提供を目的とする。
【課題を解決するための手段】
【０００５】
上記目的を達成させるために本発明に係るマネキンの肩構造は、マネキンの肩部に半球殻状の関節雄部材を介して上腕部材を揺動自在に連結するマネキンの肩構造であって、上記関節雄部材の内周凹曲面部に摺動可能な第１摺動部材及び第２摺動部材を、上記関節雄部材に形成されたスリットを介して、上記上腕部材に、取着し、上記第１摺動部材及び上記第２摺動部材が、上記上腕部材と共働きして上記関節雄部材を内外から挟着するように上記上腕部材に取着し、しかも、上記挟着する際の挟着力を調整自在に構成され、さらに、上記関節雄部材の上記スリット近傍の肉厚を、下方側肉厚よりも上方側肉厚が大きくなるように漸増したものである。
【０００６】
また、マネキンの肩部に半球殻状の関節雄部材を介して上腕部材を揺動自在に連結するマネキンの肩構造であって、上記関節雄部材の内周凹曲面部に摺動可能な第１摺動部材を、上記関節雄部材に形成されたスリットを介して、上記上腕部材の基端部に設けられた雌ネジ部材に、雄ネジ部材を螺着させることで、取着し、上記内周凹曲面部に摺動可能な第２摺動部材を、上記スリットを介して、先端が上記上腕部材の内部に取着される連結部材の基端側のネジ部に、ナット部材を螺着させることで、取着し、上記第１摺動部材及び上記第２摺動部材が、上記上腕部材と共働きして上記関節雄部材を内外から挟着するように上記上腕部材に取着し、しかも、上記挟着する際の挟着力を調整自在に構成され、さらに、上記関節雄部材の上記スリット近傍の肉厚を、下方側肉厚よりも上方側肉厚が大きくなるように漸増したものである。
【０００７】
また、上記関節雄部材に、上記スリットの両側に沿って内部側に突出する一対の突出壁を設け、上記第１摺動部材及び上記第２摺動部材が、上記突出壁にガイドされて摺動するように上記上腕部材に取着されているものである。
【発明の効果】
【０００８】
本発明のマネキンの肩構造によれば、上腕部を自由に揺動して腕部の姿勢を所望のものに変化させることが可能であり、マネキンに様々なポーズをとらせることができる。
また、上腕部が揺動可能なマネキンを容易に組み立てることができる。また、複雑な部品を用いることなく容易に製造できる。即ち、製造コストを低減できる。
【発明を実施するための最良の形態】
【０００９】
以下、実施の形態を示す図面に基づき本発明を詳説する。
図１は本発明のマネキンの肩構造の実施の形態を示す正面断面図である。図２は図１のＡ−Ａ要部断面図であり、図３は図１のＢーＢ要部断面図であり、図４は図１のＣ−Ｃ要部断面図である。また、図５は関節雄部材の正面断面図である。
【００１０】
本発明のマネキンの肩構造は、マネキンＭの胴体部の肩部Ｓに半球殻状の関節雄部材１を介して、凹球面部21を基端部２ａに形成している上腕部材２を、揺動自在に連結するマネキンの肩構造である。
【００１１】
半球殻状の関節雄部材１は、外側に外周凸球面部11を有すると共に内側に内周凹曲面部12を有し、外側と内部を連通させる（外周凸球面部11と内周凹曲面部12を貫通する）スリット10を形成している。スリット10は、起立状態のマネキンＭの姿勢（ポーズ）が腕を下ろした状態（上腕部材２が垂下状態）で、マネキンＭの頭側を上方とし足元側を下方とした際に、外周凸球面部11の頂部を経由するように、上下方向に形成されている。
【００１２】
また、関節雄部材１のスリット10の両側に沿って内部側に突出する一対の突出壁14，14を設けている。一対の突出壁14，14は、上腕部材２が垂下状態で、マネキンＭの正面側を前方とし、背面側を後方とした際、スリット10の前後方向に設けている。
【００１３】
関節雄部材１は、図５に示すように、スリット10近傍の肉厚を、下方側肉厚ｔ2 よりも上方側肉厚ｔ1 が大きくなるように漸増している。つまり、関節雄部材１は、スリット10が形成されている外周凸球面部11の外周断面半径Ｒ1 の外周中心Ｐ1 に対して、スリット10が形成される内周凹曲面部12の内周断面半径Ｒ2 の内周中心Ｐ2 を、僅かに鉛直下方側に偏心させることで、関節雄部材１のスリット10近傍の肉厚を、下方から上方になるにつれて徐々に厚く（大きく）なるように偏肉状に形成したものである。
【００１４】
また、関節雄部材１は、外側に外周凸球面部11を有すると共に内側に内周凹曲面部12を有する半球碗型の半球ケーシング15と、半球ケーシング15に施蓋状に螺着可能な円形状の蓋板部材16と、蓋板部材16の中心軸Ｙ廻りに回転摺動可能に面接触して取着される取付部材17と、一方端が取付部材17に螺着されると共に他方端が蓋板部材16を挿通して内部で弾発部材18に弾発付勢される両ネジ杆19と、を具備している。
関節雄部材１は、半球ケーシング15に蓋板部材16を施蓋状に螺着することで、内部に空間を形成している。
また、取付部材17は、マネキンＭの肩部Ｓに形成される取付孔Ｓａ（図１参照）に挿入される差込突出部17ａと、蓋板部材16に同軸心状に面接触する円盤部17ｂと、を有している。
また、弾発部材18は、蓋板部材16を取付部材17へ適度な強さで押圧して、取付部材17の円盤部17ｂに蓋板部材16を中心軸Ｙ廻りに回転摺動可能に面接触させるものであり、中心軸Ｙ廻りに回転する回転トルクを増加させている。
【００１５】
図１と図２に於て、上腕部材２は、内部に空間部27を形成している。また、関節雄部材１の外周凸球面部11の一部を覆うように形成される凹球面部21を基端部２ａに有している。また、基端部２ａの凹球面部21から空間部27へ貫通するように金属製の雌ネジ部材20が埋設され、固着されている。また、基端部２ａの凹球面部21に、上腕部材２の空間部27へ貫通する貫孔22を形成している。また、貫孔22の下方（つまり、上腕部材２の内部）には金属製の横杆６が前後方向に取着されている。
【００１６】
また、本発明のマネキンの肩構造は、関節雄部材１の内周凹曲面部12に摺動可能かつ、上腕部材２に取着される第１摺動部材４及び第２摺動部材５と、第２摺動部材５を上腕部材２に取着するための連結部材３と、を具備している。
【００１７】
図６は、第１摺動部材の実施の一例であり、（ａ）は平面図であり、（ｂ）は正面図である。
第１摺動部材４は、関節雄部材１の内周凹曲面部12の内周断面半径Ｒ2 （図５参照）と同等の半径の曲面を形成する第１摺動曲面部４ａを有している。また、関節雄部材１の一対の突出壁14，14の内壁面14ｂ，14ｂに各々摺動可能に接触する相互に平行な第１摺動側面部４ｂ，４ｂを２面有している。
【００１８】
図７は、第２摺動部材の実施の一例であり、（ａ）は平面図であり、（ｂ）は正面図である。
第２摺動部材５は、関節雄部材１の内周凹曲面部12の内周断面半径Ｒ2 （図５参照）と同等の半径の曲面を有する第２摺動曲面部５ａを形成している。また、関節雄部材１の一対の突出壁14，14の内壁面14ｂ，14ｂに摺動可能に接触する相互に平行な第２摺動側面部５ｂ，５ｂを２面有している。
【００１９】
図１に於て、連結部材３は、金属製の杆体を曲げ成形したものであって、基端側にネジ部３ａを有すると共に、先端３ｂをＪ字状に形成している。Ｊ字状の先端３ｂは、上腕部材２の内部に取着された横杆６に係止可能に形成している。また、ネジ部３ａは、スリット10に挿通可能な大きさに形成している。また、先端３ｂは、上腕部材２の貫孔22及びスリット10に挿通可能な大きさに形成している。
【００２０】
図１〜図４に於て、本発明のマネキンの肩構造は、第１摺動部材４を、一対の突出壁14，14の間に摺動可能に嵌め込んで、スリット10を介して、雌ネジ部材20に金属製の十字孔付頭の雄ネジ部材40を螺着させることで、上腕部材２に取着している。この際、第１摺動部材４の第１摺動曲面部４ａを内周凹曲面部12に接触させると共に、２つの第１摺動側面部４ｂ，４ｂを各々の突出壁14，14の内壁面14ｂ，14ｂに接触させている。
【００２１】
また、連結部材３のＪ字状の先端３ｂを、上腕部材２の内部の空間部に設けられた横杆６に係止させている。
そして、第２摺動部材５を、一対の突出壁14，14の間に摺動可能に嵌め込んで、スリット10を介して、連結部材３のネジ部３ａに金属製の弛み止め付ナット部材50を螺着させることで、上腕部材２に取着している。この際、第２摺動部材５の第２摺動曲面部５ａを内周凹曲面部12に接触させると共に、第２摺動側面部５ｂ，５ｂを各々の突出壁14，14の内壁面14ｂ，14ｂに接触させている。
【００２２】
即ち、上腕部材２の凹球面部21を、関節雄部材１の外周凸球面部11に接触させて、スリット10に沿って摺動させることで、上腕部材２を垂下状態（マネキンＭが腕を下ろした姿勢）から水平状態（マネキンＭが腕を広げた姿勢）に揺動可能に、関節雄部材１と上腕部材２を接続した構造となっている。
【００２３】
また、第１摺動部材４及び第２摺動部材５が、上腕部材２と共働きして関節雄部材１を内外から挟着するように、上腕部材２に取着している。そして、雄ネジ部材40の締付力やナット部材50の締付力を調節することで、挟着する際の挟着力を、調整自在に構成した構造となっている。このようにして、摺動する際の摩擦力を調整自在に構成した。
【００２４】
また、関節雄部材１は、マネキンＭの肩部Ｓの取付孔Ｓａに、差込突出部17ａを嵌め込んで固着することで、マネキンＭの肩部Ｓに、蓋板部材16が螺着された半球ケーシング15が、中心軸Ｙ廻りに回転摺動可能に取着されている。つまり、関節雄部材１に取着した上腕部材２が、中心軸Ｙ廻りに腕振り（揺動）可能に、マネキンＭの肩部Ｓに関節雄部材１を介して連結した構造となっている。
【００２５】
なお、本発明は、設計変更可能であって、例えば、連結部材３の先端３ｂをドーナッツ状にし貫通孔を形成して、横杆６を上腕部材２に取着させる前に、予め、貫通孔に横杆６を挿通させて、連結部材３を上腕部材２に取着させても良い。
【００２６】
上述した本発明のマネキンの肩構造の使用方法（作用）について説明する。
組立工程において、第１摺動部材４をスリット10を介して上腕部材２に取着し、第１摺動部材４と上腕部材２で関節雄部材１を挟着する。この際、挟着力は雄ネジ部材40の螺進退によって容易に調整される。
また、連結部材３のＪ字状の先端３ｂを上腕部材２の貫孔22から侵入させ、上腕部材２の内部空間27に設けられた横杆６に、係止することで、容易に上腕部材２の内部に先端３ｂが取着される。
また、連結部材３のネジ部３ａを、上腕部材２の貫孔22と、関節雄部材１のスリット10と、第２摺動部材５と、に貫通させ、ナット部材50を螺着させることで、第２摺動部材５は上腕部材２に容易に取着される。つまり、第２摺動部材５をスリット10を介して上腕部材２に取着することで、関節雄部材１は、第２摺動部材５と上腕部材２に容易に挟着される。
また、ナット部材50を螺進させることで、連結部材３が上腕部材２の横杆６を引き付け、関節雄部材１の外周凸球面部11に上腕部材２の凹球面部21を押しつける。つまり、挟着力はナット部材50の螺進退によって容易に調整される。
【００２７】
挟着力が調整されることによって、第１・２摺動部材４，５を凹球面部21に押し付ける力（摩擦力等）が調整される。
つまり、上腕部材２を所定の姿勢（ポーズ）へ摺動可能かつ、上腕部材２を所定の姿勢で保持可能な、適切な摩擦力（挟着力）が、雄ネジ部材40やナット部材50の螺進退によって容易に調整される。
【００２８】
また、マネキンＭの肩部Ｓに関節雄部材１を介して連結された上腕部材２は、スリット10を挿通する連結部材３のネジ部３ａ又は雄ネジ部材40の内のどちらか一方が、他方の廻り止め部材となって、雄ネジ部材40やナット部材50の螺進退方向の軸心廻りに回転するのを阻止する。つまり、上腕部材２は、スリット10が形成された方向のみに、関節雄部材１の外周凸球面部11を摺動する。
【００２９】
また、マネキンＭの肩部Ｓに関節雄部材１を介して連結された上腕部材２が、垂下状態から水平状態に揺動する際に、第１摺動部材４の、第１摺動曲面部４ａが、内周凹曲面部12を摺動する。また、第１摺動側面部４ｂ，４ｂが、一対の突出壁14，14の各々の内壁面14ｂ，14ｂにガイドされながら摺動する。
第２摺動部材５は、第２摺動曲面部５ａが、内周凹曲面部12を摺動する。また、第２摺動側面部５ｂ，５ｂが、一対の突出壁14，14の各々の内壁面14ｂ，14ｂにガイドされながら摺動する。
【００３０】
また、上腕部材２が、垂下状態から水平状態に揺動する際、関節雄部材１と上腕部材２の接触部は球面状であるが、関節雄部材１と上腕部材２を２箇所（第１摺動部材４及び第２摺動部材５）で取着し、かつ、第１・２摺動部材４，５は突出壁14，14にガイドされるので、スリット10の形成した方向以外の方向への揺動を規制する。
【００３１】
図８に、上腕部材２が垂下状態の際の、作用説明図を示す。また、図９に、上腕部材２が水平状態の際の、作用説明図を示す。
図８と図９に於て、上腕部材２は、関節雄部材１の外周凸球面部11に沿って、スリット10が形成される上下方向に揺動するため、外周凸球面部11の外周断面半径Ｒ1 の外周中心Ｐ1 を揺動中心として揺動する。
図８に於て、垂下状態の上腕部材２の重心Ｇは、外周中心（揺動中心）Ｐ1 から水平方向に、第１重心距離寸法Ｌ1 離れている。
図９に於て、水平状態の上腕部材２の重心Ｇは、外周中心（揺動中心）Ｐ1 から水平方向に、第２重心距離寸法Ｌ2 離れている。
つまり、上腕部材２が垂下状態から水平状態に成る際に、第１重心距離寸法Ｌ1 が第２重心距離寸法Ｌ2 に近づくにつれ、第１・２摺動部材４，５に係る重心Ｇの回転モーメント力が次第に大きくなっていく。
【００３２】
ここで、関節雄部材１のスリット10近傍の肉厚が、下方側肉厚ｔ2 よりも、上方側肉厚ｔ1 が大きくなるように漸増しているので、上腕部材２が水平状態になるにつれて、第１・２摺動部材４，５と上腕部材２は、肉厚の増加した厚みの分だけお互いが離間する方向に力を受ける。この力の反力が、第１・２摺動部材４，５と上腕部材２が関節雄部材１を挟着する力（挟着力）や、第１・２摺動部材４，５の滑りを阻止する摩擦力となる。
つまり、第１・２摺動部材４，５が下方寄りにある際の第１・２下方挟着力Ｆ1 ，Ｆ2 に比べて、第１・２摺動部材４，５が上方寄りにある際の第１・２上方挟着力Ｆ1 ’，Ｆ2 ’は、大きくなる。
【００３３】
即ち、上腕部材２が水平状態に近づくにつれて、回転モーメント力が大きくなって、上腕部材２の姿勢（ポーズ）を上方で保持するのが困難となる力（第１・２摺動部材４，５を下方向へ滑らせる力）が、発生するが、その力を打ち消す（第１・２摺動部材４，５を保持する）ことが可能な挟着力が肉厚の漸増によって発生する。よって、上腕部材２は、所望の上昇角度で確実に停止する（所定のポーズを保持する）。言い換えると、上腕部材２を保持したい所望の位置で、保持するための適切な挟着力を肉厚の変化により得ている。
【００３４】
また、関節雄部材１の取付部材17の差込突出部17ａが、マネキンＭの肩部Ｓに形成される取付孔Ｓａに嵌着されると共に、取付部材17の円盤部17ｂに蓋板部材16が回転摺動する。よって、蓋板部材16に螺着された半球ケーシング15は、中心軸Ｙ廻りに回転する。即ち、関節雄部材１に取着される上腕部材２は、中心軸Ｙ廻りに回転可能となっている。
【００３５】
以上のように、本発明は、マネキンＭの肩部Ｓに半球殻状の関節雄部材１を介して上腕部材２を揺動自在に連結するマネキンの肩構造であって、関節雄部材１の内周凹曲面部12に摺動可能な第１摺動部材４及び第２摺動部材５を、関節雄部材１に形成されたスリット10を介して、上腕部材２に、取着し、第１摺動部材４及び第２摺動部材５が、上腕部材２と共働きして関節雄部材１を内外から挟着するように上腕部材２に取着し、しかも、挟着する際の挟着力を調整自在に構成されているので、挟着力を調整して、上腕部材２を所望の位置に移動かつ固定（摺動かつ保持）できる。つまり、マネキンＭに自由なポーズ（姿勢）をとらせることができる。また、スリット10に沿って上腕部材２を揺動できる。上腕部材２を、腕が捩じれるような方向に、回転するのを防止できる。また、容易に調整及び組立ができ、生産性を向上して安価に生産できる。ギヤ等の複雑な部材を用いずに上腕部部材２が揺動可能なマネキンを安価に生産できる。
【００３６】
また、マネキンＭの肩部Ｓに半球殻状の関節雄部材１を介して上腕部材２を揺動自在に連結するマネキンの肩構造であって、関節雄部材１の内周凹曲面部12に摺動可能な第１摺動部材４を、関節雄部材１に形成されたスリット10を介して、上腕部材２の基端部２ａに設けられた雌ネジ部材20に、雄ネジ部材40を螺着させることで、取着し、内周凹曲面部12に摺動可能な第２摺動部材５を、スリット10を介して、先端３ｂが上腕部材２の内部に取着される連結部材３の基端側のネジ部３ａに、ナット部材50を螺着させることで、取着し、第１摺動部材４及び上記第２摺動部材５が、上腕部材２と共働きして関節雄部材１を内外から挟着するように上腕部材２に取着し、しかも、挟着する際の挟着力を調整自在に構成されているので、マネキンＭに自由なポーズ（姿勢）をとらせることができる。また、スリット10に沿って上腕部材２を揺動できる。上腕部材２を、腕が捩じれるような方向に、回転するのを防止できる。また、容易に調整及び組立ができ、生産性を向上して安価に生産できる。ギヤ等の複雑な部材を用いずに安価に上腕部部材２が揺動可能なマネキンＭを生産できる。また、雄ネジ部材40を螺進退させることで、挟着力を容易に調整できる。また、ナット部材50を螺進退させることで挟着力を容易に調整できる。
【００３７】
また、関節雄部材１に、スリット10の両側に沿って内部側に突出する一対の突出壁14，14を設け、第１摺動部材４及び第２摺動部材５が、突出壁14，14にガイドされて摺動するように上腕部材２に取着されているので、確実に上腕部材２をスリット10に沿うように揺動することができる。また、第１摺動部材４及び第２摺動部材５が回転するのを規制して、第１摺動部材４及び第２摺動部材５の脱落等を防止できる。
【００３８】
また、関節雄部材１のスリット10近傍の肉厚を、下方側肉厚ｔ2 よりも上方側肉厚ｔ1 が大きくなるように漸増したので、第１・２摺動部材４，５が下方寄りにある際の第１・２下方挟着力Ｆ1 ，Ｆ2 に比べて、第１・２摺動部材４，５が上方寄りにある際の第１・２上方挟着力Ｆ1 ’，Ｆ2 ’を大きくできる。即ち、第１・２摺動部材４，５を保持することが可能な挟着力を肉厚の漸増によって得ることができる。よって、上腕部材２は、所望の上昇角度（回転角度）で確実に停止させることができる（所定のポーズを保持できる）。
【図面の簡単な説明】
【００３９】
【図１】本発明のマネキンの肩構造の実施の形態を示す正面断面図である。
【図２】図１のＡ−Ａ要部断面図である。
【図３】図１のＢーＢ要部断面図である。
【図４】図１のＣ−Ｃ要部断面図である。
【図５】関節雄部材の実施の一例を示す正面断面図である。
【図６】第１摺動部材の実施の一例を示す図であり、（ａ）は平面図であり、（ｂ）は正面図である。
【図７】第２摺動部材の実施の一例を示す図であり、（ａ）は平面図であり、（ｂ）は正面図である。
【図８】作用説明図である。
【図９】作用説明図である。
【符号の説明】
【００４０】
１  関節雄部材
２  上腕部材
２ａ  基端部
３  連結部材
３ａ  ネジ部
３ｂ  先端
４  第１摺動部材
５  第２摺動部材
10  スリット
12  内周凹曲面部
14  突出壁
20  雌ネジ部材
40  雄ネジ部材
50  ナット部材
ｔ1 上方側肉厚
ｔ2 下方側肉厚
Ｍ  マネキン
Ｓ  肩部
【図１】
0004874217.tif 000002
【図２】
0004874217.tif 000003
【図３】
0004874217.tif 000004
【図４】
0004874217.tif 000005
【図５】
0004874217.tif 000006
【図６】
0004874217.tif 000007
【図７】
0004874217.tif 000008
【図８】
0004874217.tif 000009
【図９】
0004874217.tif 000010